(57)【要約】【課題】上側部分または底部分を簡単な打抜き・曲げ部分として製作することができ、プラグインユニットの押込みが容易であり、プラグインユニットのプリント配線板に対するばね弾性的なコンタクト付与も簡単に達成することができるようにする。【解決手段】ガイドエレメントが、ガイドレール１つにつき、それぞれ押込み方向に延びる、間隔を置いて配置された２列の複数のガイドウェブ１４から形成されており、該ガイドウェブが、プレート状の上側部分または底部分１０から打ち抜かれていて、上側部分の下面または底部分の上面に対して突出するように縁曲げされており、ガイドレールのガイドウェブの間隔が、プラグインユニットのプリント配線板の厚さに適合されており、上側部分または底部分が、ガイドレールのガイドウェブの列の間にプラグインユニットのプリント配線板に対するガイド路１３を形成しているようにした。【選択図】図３
2006140474.tif 000002
【特許請求の範囲】
【請求項１】
ユニット支持体の上側部分または底部分であって、相並んで配置された、押込み方向に方向付けられた、プラグインユニットのプリント配線板を収容するためのガイドレールが設けられており、該ガイドレールが、当該上側部分または当該底部分の一体のガイドエレメントによって形成されている形式のものにおいて、
ガイドエレメントが、ガイドレール１つにつき、それぞれ押込み方向に延びる、間隔を置いて配置された２列の複数のガイドウェブ（１４）から形成されており、該ガイドウェブ（１４）が、プレート状の当該上側部分または当該底部分（１０）から打ち抜かれていて、当該上側部分の下面または当該底部分の上面に対して突出するように縁曲げされており、ガイドレールのガイドウェブ（１４）の間隔が、プラグインユニットのプリント配線板の厚さに適合されており、当該上側部分または当該底部分（１０）が、ガイドレールのガイドウェブ（１４）の列の間にプラグインユニットのプリント配線板に対するガイド路（１３）を形成していることを特徴とする、ユニット支持体の上側部分または底部分。
【請求項２】
ガイドウェブ（１４）の間の間隔が、該ガイドウェブ（１４）の端縁部に向かって僅かに増大している、請求項１記載の上側部分または底部分。
【請求項３】
ガイド路（１３）およびガイドウェブ（１４）以外で当該上側部分または当該底部分（１０）が、貫通孔（１６）によって孔付き金属薄板状に形成されている、請求項１または２記載の上側部分または底部分。
【請求項４】
プレート状の当該上側部分または当該底部分（１０）のサイドが、縁曲げされた側壁（１１，１２）によって補強されている、請求項１から３までのいずれか１項記載の上側部分または底部分。
【請求項５】
当該上側部分または当該底部分（１０）が、同一に形成されていて、１８０゜だけ回動させられてユニット支持体に組み付けられている、請求項１から４までのいずれか１項記載の上側部分または底部分。
【請求項６】
ガイド路（１３）のガイドエレメント（１４）が、対を成して互いに反対の側に位置して配置されている、請求項１から５までのいずれか１項記載の上側部分または底部分。
【請求項７】
ガイド路（１３）の導入側に設けられた最初の対のガイドウェブが、導入ウェブ（１５）として、互いに向かい合った面で互いに鋭角を成して位置しており、該鋭角が、導入側に向かって開いており、これによって、ガイド路（１３）の導入ウェブ（１５）が、導入斜面を備えた導入収容部（１９）を形成している、請求項１から６までのいずれか１項記載の上側部分または底部分。
【請求項８】
当該上側部分または当該底部分が、導電性の材料から成っていて、打抜き・曲げ部分として製作されている、請求項１から７までのいずれか１項記載の上側部分または底部分。
【請求項９】
一方の導入ウェブ（１５）にばねエレメント（２０）が載着可能であり、該ばねエレメント（２０）が、ばね板（２７）でガイドレール内に突入している、請求項１から８までのいずれか１項記載の上側部分または底部分。
【請求項１０】
ばねエレメント（２０）が、差被せフード（２１）を有しており、該差被せフード（２１）が、導入エレメント（１５）の横断面に適合されている、請求項９記載の上側部分または底部分。
【請求項１１】
ばねエレメント（２０）の差被せフード（２１）にＵ字形の差込み部分が続いており、該差込み部分が、係止舌片（２５，２６）を備えた２つの脚部（２２，２３）を有しており、差込み部分が、当該上側部分または当該底部分（１０）の、導入ウェブ（１５）の打抜き時にかつ縁曲げ時に形成された打抜き収容部（１７）内に係止可能である、請求項１０記載の上側部分または底部分。
【請求項１２】
差込み部分が、折り曲げられた端ストッパ（２４）で終わっており、該端ストッパ（２４）が、差込み部分の差込み運動と差被せフードの差被せ運動とを制限している、請求項１１記載の上側部分または底部分。
【請求項１３】
ばね板（２７）が、プラグインユニットのプリント配線板に対する当付けコンタクト箇所（２８）を形成しており、ばね板（２７）が、当付けコンタクト箇所（２８）の後方で、引寄せ斜面を形成する端区分（２９）に移行している、請求項９から１２までのいずれか１項記載の上側部分または底部分。
【発明の詳細な説明】
【技術分野】
【０００１】
本発明は、ユニット支持体の上側部分または底部分であって、相並んで配置された、押込み方向に方向付けられた、プラグインユニットのプリント配線板を収容するためのガイドレールが設けられており、該ガイドレールが、当該上側部分または当該底部分の一体のガイドエレメントによって形成されている形式のものに関する。
【背景技術】
【０００２】
ユニット支持体に用いられるこのような上側部分または底部分は、ヨーロッパ特許出願公開第１４４１５７９号明細書に基づき公知である。ガイドレールは上側部分または底部分の構成要素であるので、ユニット支持体に対する構造部分の数を著しく減少させることができる。さらに、これによって、組付け手間も減少させられる。たとえば国際公開第００／２８７９号パンフレットに記載のユニット支持体で必要となるような従来慣用の使用可能な別個のガイドレールは省略することができる。
【０００３】
この上側部分または底部分の別の利点は、冷却ユニットを底部分の下方に配置した場合に冷却空気が底部分を通過し、プラグインユニットを冷却することができることにある。
【０００４】
公知の上側部分または底部分のこの利点は、その製作が極めて複雑であると共に高価であることによって購われる。なぜならば、ガイドレールが、底部と２つの側壁とから成っていて、したがって、ガイドレールをプラグインユニットのプリント配線板に対する湾出部およびコンタクト箇所で簡単な１回の打抜き・曲げ過程で製作することができないからである。さらに、ガイドレールは、ばね弾性的なコンタクト付与の簡単な可能性を提供していない。
【特許文献１】ヨーロッパ特許出願公開第１４４１５７９号明細書
【特許文献２】国際公開第００／２８７９号パンフレット
【発明の開示】
【発明が解決しようとする課題】
【０００５】
本発明の課題は、冒頭で述べた形式の、ユニット支持体に用いられる上側部分または底部分を改良して、上側部分または底部分を簡単な打抜き・曲げ部分として製作することができ、プラグインユニットの押込みが容易であり、プラグインユニットのプリント配線板に対するばね弾性的なコンタクト付与も簡単に達成することができるようにすることである。
【課題を解決するための手段】
【０００６】
この課題を解決するために本発明の構成では、ガイドエレメントが、ガイドレール１つにつき、それぞれ押込み方向に延びる、間隔を置いて配置された２列の複数のガイドウェブから形成されており、該ガイドウェブが、プレート状の当該上側部分または当該底部分から打ち抜かれていて、当該上側部分の下面または当該底部分の上面に対して突出するように縁曲げされており、ガイドレールのガイドウェブの間隔が、プラグインユニットのプリント配線板の厚さに適合されており、当該上側部分または当該底部分が、ガイドレールのガイドウェブの列の間にプラグインユニットのプリント配線板に対するガイド路を形成しているようにした。
【発明の効果】
【０００７】
本発明によれば、ガイドエレメントとしてのガイドウェブを簡単な１回の打抜き・曲げ過程でプレート状のベース部分から製作することができる。この場合、ガイドウェブは反力を形成しないかまたは大きな反力を形成せず、これによって、プラグインユニットを容易に差し込むことができる。この場合、ガイド路に近い方のガイドウェブの間隔が自由端縁部に向かって増加することは極めて有利である。ガイドウェブの間のガイド路は、プリント配線板の確実な支持およびガイドを確保している。
【０００８】
プリント配線板が押込み時にもしくは押出し時に引っ掛からないように、本発明の有利な構成では、ガイドウェブの間の間隔が、該ガイドウェブの自由端縁部に向かって僅かに増大していることが提案されていてよい。
【０００９】
下側からのプラグインユニットの換気および冷却を維持することができるように、別の有利な構成は、ガイド路およびガイドウェブ以外で上側部分または底部分が、貫通孔によって孔付き金属薄板状に形成されていることを提案している。この貫通孔はガイドウェブと同じ打抜き過程で加工される。
【００１０】
有利な構成により、プレート状の上側部分または底部分のサイドが、縁曲げされた側壁によって補強されている場合には、すでに上側部分または底部分の減少させられた肉厚で十分な安定性を達成することができる。
【００１１】
ユニット支持体に対して、ガイドレールを備えた１つの上側部分と１つの底部分とが設けられている場合には、上側部分または底部分が、同一に形成されていて、１８０゜だけ回動させられてユニット支持体に組み付けられていることによって、両部分に対する手間をさらに減少させることができる。
【００１２】
ガイドレール内でのプリント配線板の特に良好なガイドおよびコンタクティングは、ガイド路のガイドエレメントが、対を成して互いに反対の側に位置して配置されていることによって達成される。
【００１３】
有利な構成により、ガイド路の導入側に設けられた最初の対のガイドウェブが、導入ウェブとして、互いに向かい合った面で互いに鋭角を成して位置しており、該鋭角が、導入側に向かって開いており、これによって、ガイド路の導入ウェブが、導入斜面を備えた導入収容部を形成している場合には、すでにガイドレールの始端部へのプラグインユニットの当付け時に一種の強制位置決めおよびガイドレール内への導入が得られる。これによって、ユニット支持体への装着が容易になる。
【００１４】
上側部分または底部分が、導電性の材料から製作されていると有利である。なぜならば、この場合、上側部分または底部分を簡単にプラグインユニットのコンタクティングおよびアース接続もしくは遮蔽のために一緒に使用することができるからである。
【００１５】
プラグインユニットのプリント配線板のコンタクティングは、一方の導入ウェブにばねエレメントが載着可能であり、該ばねエレメントが、ばね板でガイドレール内に突入していることによって簡単に達成することができる。この場合、差被せ過程は、ばねエレメントが、差被せフードを有しており、該差被せフードが、導入エレメントの横断面に適合されていることによって簡単に容易になる。
【００１６】
導入ウェブへのばねエレメントの位置固定は、ばねエレメントの差被せフードにＵ字形の差込み部分が続いており、該差込み部分が、係止舌片を備えた２つの脚部を有しており、差込み部分が、上側部分または底部分の、導入ウェブの打抜き時にかつ縁曲げ時に形成された打抜き収容部内に係止可能であるように行われる。係止・載着過程は、適切にばねエレメントの引っ掛かりなしに、差込み部分が、折り曲げられた端ストッパで終わっており、該端ストッパが、差込み部分の差込み運動と差被せフードの差被せ運動とを制限していることによって確保される。この場合、差込み部分の端区分は、どの部分にばねエレメントが位置固定されるかに応じて、上側部分または底部分の下面または上面に位置している。
【００１７】
ガイドレール内に突入したばね板は、ばね板が、プラグインユニットのプリント配線板に対する当付けコンタクト箇所を形成しており、ばね板が、当付けコンタクト箇所の後方で、引寄せ斜面を形成する端区分に移行していることが提案されている場合にプラグインユニットの引出しを困難にしない。引出し斜面は、ばね板の端区分がガイドウェブに引っ掛かり得ないことを確保している。
【発明を実施するための最良の形態】
【００１８】
以下に、本発明を実施するための最良の形態を図面につき詳しく説明する。
【００１９】
図１による概略図には、幅を規定する２つの側壁１を備えたユニット支持体が示してある。上側部分２と底部分３とがユニット支持体を完成させていて、このユニット支持体の高さを規定している。図１に認めることができるように、上側部分２と底部分３とは一体の部分を成している。この部分は、相並んで配置された、押込み方向に方向付けられた複数のガイドレールを有している。全周にわたって延びるフレームはガイドレールをユニット支持体の前側および裏側で結合している。この場合、上側部分２と底部分３とは同一に形成されていてよく、１８０゜だけ回動させられてユニット支持体に使用されていてよい。この場合、ガイドレールは、プラグインユニットのプリント配線板を収容しかつガイドすることができるようにするために、上側部分２で下向きに開放していて、底部分３で上向きに開放している。すでに記載したように、このように形成された上側部分または底部分は、ガイドレールの構造上の構成に基づき、簡単にかつ廉価に製作することができない。
【００２０】
この重大な欠点を回避するために、本発明によるユニット支持体は、図２に示した上側部分または底部分１０を使用している。この上側部分または底部分１０は単純な打抜き・曲げ部分として、複雑でない簡単な１回の過程で製作可能である。なぜならば、実際には、打抜き方向でしか主要な曲げ過程が実施されなくてもよいからである。安定性理由から、多数の貫通孔１６を備えたプレート状の上側部分または底部分１０は、側壁１１，１２としての縁曲げされた縁部によって補強されている。
【００２１】
図３および図４による拡大図によって示したように、起立するように縁曲げされたガイドウェブ１４を備えたガイド路１３はガイドレールとして形成されている。このガイドレールは上側部分または底部分１０の前側から裏側に方向付けられている。前側には、一対の導入ウェブ１５がガイドレール１つにつき１つの導入収容部を形成している。ガイド路１３以外に上側部分または底部分１０は孔付きプレートとして貫通孔１６を備えている。
【００２２】
図３および図４から明確に認めることができるように、ガイドレール１つにつき２列のガイドウェブ１４が設けられている。このガイドウェブ１４は簡単に打ち抜かれていて、起立するように縁曲げされている。この場合、ガイドウェブ１４に並んで切欠き１８が残されている。貫通孔１６は規則的な六角形であり、ハニカム状に相並んで続いており、これによって、ガイドレール１つにつき両列のガイドウェブ１４の間の閉鎖されたガイド路１３の間の上側部分または底部分１０の面の大部分が開放されたままとなり、ユニット支持体内でのプラグインユニットの換気および／または冷却のために使用され得る。
【００２３】
１つの特別な点を図３および図４に同じく明確に認めることができる。１つのガイドレールの両列のガイドウェブ１４は、押込み方向で対を成して互いに反対の側に位置していて、ガイド路１３から始まってガイドウェブ１４の自由端部への間隔が僅かに増加するように僅かに傾けられている。ガイド路１３の領域では、この間隔がプラグインユニットのプリント配線板の厚さに適合されている。これによって、プラグインユニットに対する押込み摩擦が小さく保たれる。
【００２４】
導入側には、一対の導入ウェブ１５が一種の導入斜面としての導入開口を形成している。ガイドレールの始端部に設けられた一対の導入ウェブ１５はその傾きに対して付加的に（ガイドウェブ１４のように）その外側に向かって斜めに打ち抜かれており、これによって、互いに向かい合った側面が押込み方向で互いに鋭角を成して位置している。したがって、始端正面における導入ウェブ１５の間隔が終端正面における間隔よりも大きくなっており、これによって、狭くなる導入収容部１９が形成される。この導入収容部１９は終端部でプラグインユニットのプリント配線板の厚さに移行している。導入ウェブ１５も同じく上側部分または底部分１０から打ち抜かれている。この場合、導入ウェブ１５の二重の傾斜位置は、増加させられた打抜き収容部１７を前提としている（図４参照）。
【００２５】
図５〜図９につき、どのようにして、図５に示したばねエレメント２０を備えた上側部分または底部分１０が、プラグインユニットのプリント配線板と上側部分または底部分１０との間のコンタクティングを形成することができ、ばねエレメント２０が、使用された導入ウェブ１５に結合することができるのかという１つの例を示す。
【００２６】
ばねエレメント２０は差被せフード２１を有している。この差被せフード２１はガイドレールの導入ウェブ１５に差し被せることができる。差被せフード２１の一方の長手方向壁には、脚部２２，２３を備えたＵ字形の差込み部分が続いている（図６参照）。この差込み部分は導入ウェブ１５の打抜き収容部１７内に係止している（図９参照）。この場合、脚部２２，２３に打ち抜かれた係止舌片２５，２６は上側部分の上面もしくは底部分１０の下面に支持されている。脚部２３の端区分２４は差込み・係止運動を制限しており、これによって、ばねエレメント２０が不動にかつ傾倒し得ないように導入ウェブ１５に装着されている。ばねエレメント２０の差被せフード２１にはばね板２７が設けられている。このばね板２７は、図７および図８に示したように、コンタクトばねのようにガイドレール内に突入している。この場合、ばね板２７に形成された当付けコンタクト箇所２８が一番遠くガイドレール内に突入している。プラグインユニットのプリント配線板が押し込まれると、ばね板２７が変位させられ、当付けコンタクト箇所２８しか電気的な接続部を形成しない。ばね板２７の端区分２９は引出し斜面としてプリント配線板に対して間隔を置いて位置しており、これによって、このプリント配線板がプラグインユニットの引出し時にばね板２７に引っ掛かり得ない。ばねエレメント２０は種々異なる形式で形成することができ、これによって、ばねエレメント２０をガイドレールの左側のまたは右側の導入ウェブ１５に被せることができる。
【図面の簡単な説明】
【００２７】
【図１】公知のユニット支持体の概略的な構造の斜視図である。
【図２】ユニット支持体に対して使用可能な本発明による底部分の斜視的な平面図である。
【図３】図２に示した底部分の角隅領域Ｘの斜視的な拡大図である。
【図４】角隅領域Ｘの平面図である。
【図５】ガイドレールの導入ウェブに差し被せるためのばねエレメントを示す図である。
【図６】図５に示したばねエレメントを端面に向かって見た図である。
【図７】導入ウェブに差し被せられた、底部分に係止されたばねエレメントの斜視的な部分平面図である。
【図８】底部分の、図７に示した領域の平面図である。
【図９】導入ウェブと底部分とに係止されたばねエレメントの部分図である。
【符号の説明】
【００２８】
１  側壁、  ２  上側部分、  ３  底部分、  １０  上側部分または底部分、  １１，１２  側壁、  １３  ガイド路、  １４  ガイドウェブ、  １５  導入ウェブ、  １６  貫通孔、  １７  打抜き収容部、  １８  切欠き、  １９  導入収容部、  ２０  ばねエレメント、  ２１  差被せフード、  ２２，２３  脚部、  ２４  端区分、  ２５，２６  係止舌片、  ２７  ばね板、  ２８  当付けコンタクト箇所、  ２９  端区分
【図１】
2006140474.tif 000003
【図２】
2006140474.tif 000004
【図３】
2006140474.tif 000005
【図４】
2006140474.tif 000006
【図５】
2006140474.tif 000007
【図６】
2006140474.tif 000008
【図７】
2006140474.tif 000009
【図８】
2006140474.tif 000010
【図９】
2006140474.tif 000011